(57)【要約】【課題】表示装置やオーディオ装置の向きを適宜変更することにより装置の機能性を向上させるとともに、軽い操作力で滑らかな回動を行い、且つ静止時にも安定することのできる簡素な構成の回動装置を提供する。【解決手段】回動装置Ｓを、操作台１ａと、下結合部材２ａと、回動部材３ａと、上結合部材４ａと、コイルスプリング５ａと、ワッシャー６ａと、それらを一体的に取り付けるためのビス７ａ及びナット８ａとで構成する。本体及び回動部材３ａの回動方向は第２開口部３ａ−３の側縁が第２突起２ａ−３の側縁と対向することにより規制され、回動角度は第１突起２ａ−２の前後縁の一部が第１開口部３ａ−２の短辺と当接することにより規制される。回動部材３ａと下結合部材２ａを、第３突起２ａ−４を介しての線接触とし、下結合部材２ａと上結合部材４ａを高摺動材料により、回動部材３ａとの間の動摩擦係数を低減する。【選択図】　図３
2004134952.tif 000002
【特許請求の範囲】
【請求項１】
表示装置あるいはオーディオ装置が取り付けられ、装置の上下方向の向きを変更するための回動装置であって、操作台と、該操作台に固定され、円筒の一部により形成される曲面凹部と、該曲面凹部に形成された矩形状の第１突起及びＩ型形状の第２突起及び半円形断面の直線状の第３突起を有する下結合部材と、該曲面凹部と対応する形状の取付部と該取付部に穿設された矩形状の第１開口部及び矩形状の第２開口部を有する回動部材と、該回動部材の該取付部と対応する取付部を有し、回動部材を該下結合部材との間に挟持して回動部材を上下方向に回転自在に保持する上結合部材とを備え、該第１突起の前後縁を該第１開口部の前後縁に当接させることにより上下方向の回動角度を規制し、該第２突起の側縁を該第２開口部の側縁に当接させることにより上下方向の回動方向を規制するようにしたことを特徴とする回動装置。
【請求項２】
該下結合部材の第１突起の上に円筒状の第４突起を形成する一方、該上結合部材の取付部の上に円筒状の第５突起を形成し、該第５突起に貫通孔を穿設し、該貫通孔に該第４突起を遊挿することにより、該上結合部材を該下結合部材に対し保持するようにした、請求項１に記載の回動装置。
【請求項３】
該上結合部材を該回動部材の取付部に向かって付勢するコイルスプリングを設け、該第５突起に保持し、該第１突起及び該第４突起に貫通孔を穿設し、該コイルスプリングと該コイルスプリングの上に設けられたワッシャーと該上結合部材と該回動部材と該下結合部材とを該操作台に一体的に保持するビスを該貫通孔に遊挿してナットと螺合するようにした請求項１乃至請求項２のいずれかに記載の回動装置。
【請求項４】
該下結合部材と該上結合部材は高摺動材料からなることを特徴とする、請求項１から請求項３のいずれかに記載の回動装置。
【発明の詳細な説明】
【０００１】
【発明の属する技術分野】
本発明は、モニタ、テレビ等の表示装置やオーディオ装置に取り付けられ、設置場所に応じて装置本体の向きを適宜変更することにより装置の機能性を向上させた回動装置に関するものである。
【０００２】
【従来の技術】
従来、ディスプレイユニットをスウィングさせるディスプレイ用チルト機構の例は多数ある（例えば特許文献１参照。）。また、オーディオ装置に取り付けられる従来の回動装置の構成を図４に示す。図４に示すように、従来の回動装置は、操作台１ｂ、曲面凹部１ｂ−１、ボス１ｂ−２、回動部材２ｂ、取付部２ｂ−１、開口部２ｂ−２、結合部材３ｂ、コイルスプリング４ｂ、ワッシャー５ｂ、ビス６ｂ、ナット７ｂで構成される。従来の回動装置では、操作台１ｂに曲面凹部１ｂ−１を形成し、この曲面凹部１ｂ−１と対応する形状の取付部２ｂ−１を有する回動部材２ｂを介して表示装置やオーディオ装置等の装置本体を取り付けている。また、操作台１ｂの中央部には円筒状のボス１ｂ−２が一体的に形成されており、ボス１ｂ−２は、装置本体が取り付けられる回動部材２ｂの中央部に穿設された矩形状の開口部２ｂ−２に遊挿され、結合部材３ｂをビス６ｂで締結されたコイルスプリング４ｂにより回動部材２ｂに向かって付勢することにより装置本体は回動自在に支承されている。
【０００３】
【特許文献１】
特開昭６２−１１７０２０号公報
【０００４】
【発明が解決しようとする課題】
しかしながら、上記構成の従来の回動装置においては、本体静止時の安定性を得るために、コイルスプリングの付勢力を大きくした場合、操作台、回動部材、結合部材間の摩擦力が大きくなり、回動させるのに大きな操作力が必要であった。また、コイルスプリングの付勢力が結合部材に均一にかからずに、本体静止時にガタを生じたり、回動時に静摩擦と動摩擦の差が大きくなり、滑らかな回動ができないことがあった。
【０００５】
本発明は、従来技術の有するこのような問題点に鑑みてなされたものであり、表示装置やオーディオ装置の向きを適宜変更することにより装置の機能性を向上させるとともに、軽い操作力で滑らかな回動を行い、且つ静止時にも安定することのできる簡素な構成の回動装置を提供することを目的としてなされたものである。
【０００６】
【課題を解決するための手段】
上記目的を達成するために、操作台と、操作台に固定され、円筒の一部により形成される曲面凹部と曲面凹部に形成された矩形状の第１突起及びＩ型形状の第２突起及び半円形断面の直線状の第３突起を有する下結合部材と、曲面凹部と対応する形状の取付部と取付部に穿設された矩形状の第１開口部及び矩形状の第２開口部を有する回動部材と、回動部材の取付部と対応する取付部を有し回動部材を下結合部材との間に挟持して回動部材を上下方向に回転自在に保持する上結合部材とを備え、第１突起の前後縁を第１開口部の前後縁に当接させることにより上下方向の回動角度を規制し、第２突起の側縁を第２開口部の側縁に当接させることにより上下方向の回動方向を規制する。これにより、本体静止時の安定性を得るために、コイルスプリングの付勢力を大きくした場合でも、軽い操作力で滑らかな回動を行い、且つ静止時にも安定した回動装置が得られる。
【０００７】
また、下結合部材の第１突起の上に円筒状の第４突起を形成する一方、上結合部材の取付部の上に円筒状の第５突起を形成し、第５突起に貫通孔を穿設し、貫通孔に第４突起を遊挿することにより上結合部材を下結合部材に対し保持する。これにより、回動部材が回動しても、上結合部材は下結合部材との位置関係を保つことができる。
【０００８】
また、上結合部材を回動部材の取付部に向かって付勢するコイルスプリングを設け、第５突起に保持し、第１突起及び第４突起に貫通孔を穿設し、コイルスプリングとコイルスプリングの上に設けられたワッシャーと上結合部材と回動部材と下結合部材とを操作台に一体的に保持するビスを貫通孔に遊挿してナットと螺合するようにする。さらに、下結合部材と上結合部材を高摺動材料で製作したことを特徴とする。これらにより、本体静止時の安定性を得るために、コイルスプリングの付勢力を大きくした場合でも、軽い操作力で滑らかな回動を行い、且つ静止時にも安定した回動装置が得られる。
【０００９】
【発明の実施の形態】
（実施の形態１）
以下、本発明の実施の形態について説明する。図１は、本発明にかかる回動装置を備えたパーソナルＭＤシステムの斜視図を示す。図２は、本発明にかかる回動装置を備えたパーソナルＭＤシステムの回動範囲を示す断面図であり、（ａ）は水平時の状態、（ｂ）は回動時の状態を示す。また、図３は、本発明にかかる回動装置の構成を示す分解斜視図であり、（ａ）は上方から、（ｂ）は下方から見た状態を示す。
【００１０】
図１に示すように、本発明にかかる回動装置Ｓを備えたパーソナルＭＤシステムＭは、本発明にかかる回動装置Ｓに取り付けられていることから、図２（ａ）に示されるように、回動部材３ａの回動中心３ａ−６を中心に上方向に角度αの範囲で回動且つその範囲内の任意の角度で静止することが可能である。図２（ａ）の点Ａ１に回動力Ｆを与えると、点Ａ１が点Ａ２まで回動することが可能である。また、図２（ｂ）の点Ｂ２に復元力Ｆを与えると、点Ｂ２が点Ｂ１まで復元することが可能である。
【００１１】
図３（ａ）及び図３（ｂ）に示されるように、回動装置Ｓは、操作台１ａと、操作台１ａの上に取り付けられる下結合部材２ａと、下結合部材２ａの上に取り付けられる回動部材３ａと、回動部材３ａの上に取り付けられ下結合部材２ａとともに回動部材３ａを挟持する上結合部材４ａと、コイルスプリング５ａ及びワッシャー６ａを介して下結合部材２ａ及び回動部材３ａ及び上結合部材４ａを操作台１ａに一体的に取り付けるためのビス７ａ及びナット８ａとを備えている。
【００１２】
下結合部材２ａには曲面凹部２ａ−１が形成されており、曲面凹部２ａ−１の最底部には矩形状の第１突起２ａ−２と、第１突起２ａ−２の上には円筒状の第４突起２ａ−５がそれぞれ複数箇所形成されており、曲面凹部２ａ−１の中央付近には、Ｉ型形状の第２突起２ａ−３が１箇所形成されており、曲面凹部２ａ−１の両頂端には半円形断面の直線状の第３突起２ａ−４がそれぞれ１箇所づつもしくは複数箇所形成されている。
【００１３】
回動部材３ａには下結合部材２ａの曲面凹部２ａ−１に対応して摺り合わせる下面が曲面凸部３ａ−５となった取付部３ａ−１が形成されており、ここで、曲面凸部３ａ−５の曲率半径は、下結合部材２ａの曲面凹部２ａ−１の曲率半径より第３突起２ａ−４の高さ分小さく設定されている。取付部３ａ−１には矩形状の第１開口部３ａ−２が複数箇所及び矩形状の第２開口部３ａ−３が１箇所穿設されている。第１開口部３ａ−２の短辺の長さは下結合部材２ａに形成された第１突起２ａ−２の短辺の長さより長く、第２開口部３ａ−３の短辺の長さは下結合部材２ａに形成されたＩ型形状の第２突起２ａ−３の短辺の長さと略等しく設定されている。
【００１４】
上結合部材４ａには回動部材３ａの曲面凹部３ａ−４に対応して摺り合わせる下面が曲面凸部４ａ−３となった取付部４ａ−１が形成されており、ここで、曲面凸部４ａ−３の曲率半径は、回動部材３ａの曲面凹部３ａ−４の曲率半径と略等しく設定されている。取付部４ａ−１には円筒状の第５突起４ａ−２が複数箇所形成されており、第５突起４ａ−２の内径は、下結合部材２ａに形成された第４突起２ａ−５の外径と略等しく設定されている。
【００１５】
上結合部材４ａの上面は、第５突起４ａ−２に保持した複数個のコイルスプリング５ａの螺旋状巻回部の下端に当接しており、コイルスプリング５ａの上端がビス７ａにより螺合されたワッシャー６ａに係止することにより上結合部材４ａは常時下方に（回動部材３ａの取付部３ａ−１に向かって）付勢されている。下結合部材２ａに形成された第１突起２ａ−２と第４突起２ａ−５に穿設された貫通孔に遊挿されたビス７ａは、操作台１ａの底面に形成されたナット収容孔１ａ−１に収容されたナット８ａと螺合している。
【００１６】
上記構成の本発明にかかる回動装置Ｓにおいて、回動部材３ａの取付部３ａ−１は、下結合部材２ａの曲面凹部２ａ−１と上結合部材４ａの取付部４ａ−１とで挟持されるとともに、コイルスプリング５ａの付勢力により上結合部材４ａを介して下結合部材２ａに向かって常時押圧されている。ここで、上結合部材４ａの曲面凸部４ａ−３と回動部材３ａの曲面凹部３ａ−４は面接触であるが、回動部材３ａの曲面凸部３ａ−５と下結合部材２ａの曲面凹部２ａ−１は、第３突起２ａ−４を介しての線接触である。これにより、回動部材３ａと下結合部材２ａとの間の動摩擦係数を低減する。回動部材３ａに穿設された第２開口部３ａ−３は前後方向に細長く形成されており、下結合部材２ａの曲面凹部２ａ−１の上に形成された第２突起２ａ−３はこの第２開口部３ａ−３に収容されている。従って第２開口部３ａ−３の側縁が下結合部材２ａの第２突起２ａ−３の側縁と常時対向しており、システム本体が取り付けられる回動部材３ａの回動方向は、第２突起２ａ−３により規制される。システム本体の上下方向の角度は、第１突起２ａ−２の前後縁の一部が回動部材３ａに穿設された第１開口部３ａ−２の短辺と当接することにより規制される。下結合部材２ａと上結合部材４ａを例えばポリアセタール樹脂のような高摺動材料で製作することにより、下結合部材２ａと上結合部材４ａに挟持された回動部材３ａとの間の動摩擦係数を低減する。
【００１７】
【発明の効果】
以上のように本発明によれば、以下に記載されるような効果を奏する。本発明のうちで、請求項１に記載の発明によれば、装置が取り付けられる回動部材を下結合部材と上結合部材との間に挟持した状態で上下方向に回転自在に保持するとともに、下結合部材に形成された第１突起の前後縁を回動部材の取付部に穿設された第１開口部の前後縁に当接させることにより上下方向の回動角度を規制し、下結合部材に形成された第２突起の側縁を回動部材の取付部に穿設された第２開口部の側縁に当接させることにより上下方向の回動方向を規制するようにしたので、所定の角度範囲で装置の向きを適宜変更することができ、装置の機能性を向上させることができる。また、回動部材の曲面凸部と下結合部材の曲面凹部は、第３突起を介しての線接触であるため、動摩擦係数を低減することができ、本体静止時の安定性を得るために、コイルスプリングの付勢力を大きくした場合でも、軽い操作力で滑らかな回動を行い、且つ静止時にも安定することのできる簡素な構成の回動装置を提供することができる。
【００１８】
また、請求項２に記載の発明によれば、上結合部材の第５突起の貫通孔に下結合部材の第４突起を遊挿することにより、上結合部材を下結合部材に対し保持するようにしたので、回動部材が回動しても、上結合部材は下結合部材との位置関係を保つことができ、これにより簡素な構成で、回動部材を下結合部材と上結合部材との間に挟持した状態で上下方向に回転自在に保持することができ、装置の機能性を向上させることができる。
【００１９】
また、請求項３に記載の発明によれば、上結合部材を回動部材の取付部に向かって付勢するコイルスプリングを複数個設けることにより、コイルスプリングの付勢力が上結合部材に均一にかかるため、本体静止時の安定性を得るために、コイルスプリングの付勢力を大きくした場合でも、滑らかな回動を行い、且つ静止時にも安定することのできる簡素な構成の回動装置を提供することができる。
【００２０】
さらに、請求項４に記載の発明によれば、下結合部材と上結合部材を高摺動材料で製作するようにしたため、下結合部材と上結合部材に挟持された回動部材との間の動摩擦係数を低減することができ、本体静止時の安定性を得るために、コイルスプリングの付勢力を大きくした場合でも、軽い操作力で滑らかな回動を行い、且つ静止時にも安定することのできる簡素な構成の回動装置を提供することができる。
【図面の簡単な説明】
【図１】本発明にかかる回動装置を備えたパーソナルＭＤシステムの斜視図
【図２】本発明にかかる回動装置を備えたパーソナルＭＤシステムの回動範囲を示す断面図であり、
（ａ）は水平時の状態を示す図
（ｂ）は回動時の状態を示す図
【図３】本発明にかかる回動装置の構成を示す分解斜視図であり、
（ａ）は上方から見た状態を示す図
（ｂ）は下方から見た状態を示す図
【図４】従来の回動装置の構成を示す分解斜視図
【符号の説明】
１ａ　操作台
１ａ−１　ナット収容孔
２ａ　下結合部材
２ａ−１　曲面凹部
２ａ−２　第１突起
２ａ−３　第２突起
２ａ−４　第３突起
２ａ−５　第４突起
３ａ　回動部材
３ａ−１　取付部
３ａ−２　第１開口部
３ａ−３　第２開口部
３ａ−４　曲面凹部
３ａ−５　曲面凸部
３ａ−６　回動中心
４ａ　　上結合部材
４ａ−１　取付部
４ａ−２　第５突起
４ａ−３　曲面凸部
５ａ　コイルスプリング
６ａ　ワッシャー
７ａ　ビス
８ａ　ナット
１ｂ　操作台
１ｂ−１　曲面凹部
１ｂ−２　ボス
２ｂ　回動部材
２ｂ−１　取付部
２ｂ−２　開口部
３ｂ　結合部材
４ｂ　コイルスプリング
５ｂ　ワッシャー
６ｂ　ビス
Ａ１　水平時の回動力入力点
Ａ２　回動時の回動力入力点
Ｂ１　水平時の復元力入力点
Ｂ２　回動時の復元力入力点
Ｆ　回動力または復元力
Ｍ　パーソナルＭＤシステム
Ｓ　回動装置
【図１】
2004134952.tif 000003
【図２】
2004134952.tif 000004
【図３】
2004134952.tif 000005
【図４】
2004134952.tif 000006